(57)【要約】【課題】ポストからブラケット装置を容易に取り外すことができるスライドレールアセンブリとそのブラケット装置を提供する。【解決手段】  スライドレールアセンブリは、第１ブラケット及びブラケット装置によって第１ポスト及び第２ポストに取り外し可能に取り付けられるように構成される。ブラケット装置は、第２ブラケット、フック及び係止要素を含む。フックは第２ブラケットに接続される。第２ポストに対して閉位置でフックを保持するためにフックに対して当接するため、係止要素は第２ブラケットと動作可能に係合される。第１ブラケットが第１ポストから取り外され、係止要素が第２ブラケットから動作可能に係脱されるとき、係止要素はフックに対してこれ以上当接しない。【選択図】図１８
2017059803.tif 000002
【特許請求の範囲】
【請求項１】
第１ポスト及び第２ポストに取り付けられるように構成されたスライドレールアセンブリであって、当該スライドレールアセンブリは、
レール要素と、
前記レール要素に接続され、かつ、前記第１ポストに取り外し可能に取り付けられるように構成された第１ブラケットと、
前記レール要素に接続され、かつ、前記第２ポストに取り外し可能に取り付けられるように構成されたブラケット装置と、
を備え、
前記ブラケット装置は、
第２ブラケットと、
前記第２ブラケットに接続され、第１脚部を有するフックと、
前記第２ブラケットと動作可能に係合され、前記第２ポストに対して閉位置で前記フックを保持するために、前記フックの前記第１脚部に対して当接するための支持機構を有する、係止要素とを含み、
前記第１ブラケットが、前記第１ポストから取り外され、前記係止要素が、前記第２ブラケットから動作可能に係脱されるとき、前記係止要素の前記支持機構は、前記フックの前記第１脚部に対してこれ以上当接せず、前記フックは、前記第２ポストに対して前記閉位置でこれ以上保持されない、
スライドレールアセンブリ。
【請求項２】
前記係止要素に接続された延伸要素を更に備え、前記レール要素は、第１部分を有し、前記延伸要素は、前記レール要素の前記第１部分に向かって面する第２部分を有し、前記第１部分が前記第２部分に対して当接するときに動くために、前記延伸要素は、前記レール要素によって駆動されるように構成される、請求項１に記載のスライドレールアセンブリ。
【請求項３】
前記係止要素と前記延伸要素との間に配置された補助弾性要素を更に備える、請求項２に記載のスライドレールアセンブリ。
【請求項４】
前記フックは第２脚部を有し、前記係止要素の前記支持機構と、前記フックの前記第２脚部との間の接触面のうちの１つは、傾斜面であり、前記係止要素が前記第２ブラケットから係脱されるとき、前記傾斜面は前記フックの前記第２脚部を押して前記閉位置から開位置へと前記フックを回転させる、請求項１に記載のスライドレールアセンブリ。
【請求項５】
前記第２ブラケットは第１係合部を有し、前記係止要素は前記第１係合部と動作可能に係合された第２係合部を有する、請求項１に記載のスライドレールアセンブリ。
【請求項６】
前記係止要素は、前記第２係合部に接続された弾性アームと、前記弾性アームに接続された係脱機構とを含み、前記スライドレールアセンブリは前記係止要素に接続された延伸要素を更に備え、前記延伸要素は、前記第２ブラケットの前記第１係合部から前記係止要素の前記第２係合部を係脱するための係脱部を有する、請求項５に記載のスライドレールアセンブリ。
【請求項７】
前記係止要素は第１ガイド部を有し、前記スライドレールアセンブリは、前記２ブラケットに前記係止要素を接続するために、前記第１ガイド部の一部を貫通する接続要素を更に備える、請求項１に記載のスライドレールアセンブリ。
【請求項８】
前記第１ガイド部は長孔である、請求項７に記載のスライドレールアセンブリ。
【請求項９】
前記延伸要素は第２ガイド部を有し、前記スライドレールアセンブリは、前記第２ブラケットに前記延伸要素を接続するために、前記第２ガイド部の一部を貫通する支持要素を更に備える、請求項２に記載のスライドレールアセンブリ。
【請求項１０】
前記第２ガイド部は長孔である、請求項９に記載のスライドレールアセンブリ。
【請求項１１】
前記第２ブラケットはサイドプレートを含み、前記サイドプレートは、空間を画定する第１壁及び第２壁を有し、前記延伸要素は前記空間内で移動可能である、請求項２に記載のスライドレールアセンブリ。
【請求項１２】
前記フックは前記第２ブラケットに枢着される、請求項１に記載のスライドレールアセンブリ。
【請求項１３】
レール要素と、
前記レール要素に接続されたブラケット装置と、
を備え、
前記ブラケット装置は、
ブラケットと、
前記ブラケットに接続され、第１脚部を有するフックと、
前記ブラケットと動作可能に係合され、前記ブラケットに対して閉位置で前記フックを保持するために、前記フックの前記第１脚部に対して当接するための支持機構を有する係止要素と、を含み、
前記係止要素が前記ブラケットから動作可能に係脱されるとき、前記係止要素の前記支持機構は、前記フックの前記第１脚部に対してこれ以上当接せず、前記フックは前記ブラケットに対して前記閉位置でこれ以上保持されない、
スライドレールアセンブリ。
【請求項１４】
第１係合部を有するブラケットと、
前記ブラケットに接続され、かつ、前記ブラケットに対して閉位置に位置するフックと、
前記フックに対して当接して前記閉位置で前記フックを保持するために、前記ブラケットの前記第１係合部と動作可能に係合された係止要素と、
前記係止要素に接続された延伸要素と、
を含み、
前記係止要素が前記ブラケットから動作可能に係脱されるとき、前記係止要素は前記フックに対してこれ以上当接せず、前記フックは前記ブラケットに対して前記閉位置でこれ以上保持されない、
ブラケット装置。
【請求項１５】
前記係止要素は、支持機構を有し、前記係止要素に対して異なる位置で前記フックに対して当接するために、第１傾斜面及び第２傾斜面は、それぞれ、前記支持機構の両側それぞれに配置される、請求項１４に記載のブラケット装置。
【発明の詳細な説明】
【技術分野】
【０００１】
本発明は、スライドレールアセンブリに関し、特に、ラックのポストから簡単に取り外されるか、あるいは、ラックのポストに簡単に取り付けられることができるスライドレールアセンブリに関する。
【背景技術】
【０００２】
中国特許第１０２６９５３９６Ｂ号明細書は、サーバーのためのスライドレール器具自在取付フレームを開示し、これは、スライドレール後部取付フレーム（ｓｌｉｄｅ  ｒａｉｌ  ｂａｃｋ  ｍｏｕｎｔｉｎｇ  ｆｒａｍｅ）（１）に配置された一対のフレーム位置決め柱（４）と、フレームフローティングフック（２）とを備える。フレームフローティングフック（２）は、一対のウィング（２０５）にそれぞれ配置された一対のフック（２０３）を含む。一対のウィング（２０５）は、スライドガイドスリーブ（２０１）がそれぞれ設けられ、「アーチ状ドア（ａｒｃｈ  ｄｏｏｒ）」に形づくられた屈曲片（２０６）を介して固定接続されている。スライドレール後部取付フレーム（１）は、２つのスライドガイド柱（１０１）と共に固定され、これらは、スライドガイドスリーブ（２０１）内にスリーブが付けられ、かつ、制限スクリュー（７）を介して固定接続されている。第１戻りばね（６）は、ウィング（２０５）と制限スクリュー（７）との間のスライドガイドスリーブ（２０１）に配置される。スライドレール後部取付フレーム（１）は、フローティングピン（３）を配置するためのフローティングピン孔（１０４）と共に更に設けられる。フローティングピン（３）の一端は、制限スクリュー（７）を介して「アーチ状ドア」に形づくられた屈曲片（２０６）に接続され、該フローティングピンの他端は、フローティングピン孔（１０４）内に配置された円錐形頭部（３０１）である。第２戻りばね（５）は、円錐形頭部（３０１）の端面と制限スクリュー（７）との間のフローティングピン（３）に配置される。
【０００３】
そのような配置によると、先行技術は、後部フレームによってカバーされたスライドレールの外レールにより駆動されるフローティングピン（３）を介して、スライドレール後部取付フレーム（１）を係止又は解放することができるが、先行技術の設計は、外レールの長さや外レールと協働するブラケットの調整量により、容易に制限されてしまい、これにより、使用上の制限が生じる。つまり、スライドレール後部取付フレーム（１）を係止又は解放するために、外レールの長さは、フローティングピン（３）を駆動するのに十分長くなければならない。
【先行技術文献】
【特許文献】
【０００４】
【特許文献１】中国特許第１０２６９５３９６号明細書
【発明の概要】
【０００５】
本発明は、ポストからブラケット装置を容易に取り外すことができるスライドレールアセンブリに関する。
【０００６】
本発明の一実施形態によると、スライドレールアセンブリは、第１ポスト及び第２ポストに取り付けられるように構成される。スライドレールアセンブリは、レール要素、第１ブラケット及びブラケット装置を備える。第１ブラケットは、レール要素に接続され、かつ、第１ポストに取り外し可能に取り付けられるように構成される。ブラケット装置は、レール要素に接続され、かつ、第２ポストに取り外し可能に取り付けられるように構成される。ブラケット装置は、第２ブラケットと、第２ブラケットに接続され、かつ、第１脚部を有するフックと、第２ブラケットと動作可能に係合された係止要素とを含む。係止要素は、第２ポストに対して閉位置で留まるようにフックを駆動するために、フックの第１脚部に対して当接するための支持機構を有する。第１ブラケットが、第１ポストから取り外され、係止要素が、第２ブラケットから動作可能に係脱されるとき、係止要素の支持機構は、フックに対してこれ以上当接せず、フックは、第２ポストに対して閉位置でこれ以上保持されない。
【０００７】
上記実施形態によると、スライドレールアセンブリは、係止要素に接続された延伸要素を更に備える。レール要素は、第１部分を有する。延伸要素は、レール要素の第１部分に向かって面する第２部分を有する。第１部分が第２部分に対して当接するときに動くために、延伸要素は、レール要素によって駆動されるように構成される。
【０００８】
上記実施形態によると、スライドレールアセンブリは、係止要素と延伸要素との間に配置された補助弾性要素を更に備える。
【０００９】
上記実施形態によると、フックは第２脚部を有する。係止要素の支持機構とフックの第２脚部との間の接触面のうちの１つは、傾斜面である。係止要素が第２ブラケットから係脱されるとき、傾斜面はフックの第２脚部を押して閉位置から開位置へとフックを回転させる。
【００１０】
上記実施形態によると、第２ブラケットは第１係合部を有する。係止要素は第１係合部と動作可能に係合された第２係合部を有する。
【００１１】
上記実施形態によると、係止要素は、第２係合部に接続された弾性アームと、弾性アームに接続された係脱機構とを含む。スライドレールアセンブリは、係止要素に接続された延伸要素を更に備える。延伸要素は、第２ブラケットの第１係合部から係止要素の第２係合部を係脱するための係脱部を有する。
【００１２】
上記実施形態によると、係止要素は第１ガイド部を有する。スライドレールアセンブリは、第２ブラケットに係止要素を接続するために、第１ガイド部の一部を貫通する接続要素を更に備える。
【００１３】
上記実施形態によると、第１ガイド部は長孔である。
【００１４】
上記実施形態によると、延伸要素は第２ガイド部を有する。スライドレールアセンブリは、第２ブラケットに延伸要素を接続するために、第２ガイド部の一部を貫通する支持要素を更に備える。
【００１５】
上記実施形態によると、第２ガイド部は長孔である。
【００１６】
上記実施形態によると、第２ブラケットはサイドプレートを含む。サイドプレートは、空間を画定する第１壁及び第２壁を有する。延伸要素は空間内で移動可能である。
【００１７】
上記実施形態によると、フックは第２ブラケットに枢着される。
【００１８】
本発明の別の実施形態によると、スライドレールアセンブリは、レール要素と、レール要素に接続されたブラケット装置とを備える。ブラケット装置は、ブラケットと、ブラケットに接続され、かつ、第１脚部を有するフックと、ブラケットと動作可能に係合された係止要素とを含む。係止要素は、ブラケットに対して閉位置でフックを保持するために、フックの第１脚部に対して当接するための支持機構を有する。係止要素が第２ブラケットから動作可能に係脱されるとき、係止要素の支持機構は、フックに対してこれ以上当接せず、フックはブラケットに対して閉位置でこれ以上保持されない。
【００１９】
本発明の別の実施形態によると、ブラケット装置は、ブラケット、フック、係止要素及び延伸要素を含む。ブラケットは第１係合部を有する。フックは、ブラケットに接続され、かつ、ブラケットに対して閉位置に位置する。係止要素は、フックに対して当接して閉位置でフックを保持するために、ブラケットの第１係合部と動作可能に係合される。延伸要素は、係止要素に接続される。係止要素がブラケットから動作可能に係脱されるとき、係止要素は前記フックに対してこれ以上当接せず、フックはブラケットに対して閉位置でこれ以上保持されない。
【００２０】
本発明の上記及びその他の目的が、さまざまな図及び図面に図示される好ましい実施形態の以下の詳細な説明を読むと、当業者に明白なことは言うまでもない。
【図面の簡単な説明】
【００２１】
【図１】本発明の一実施形態に従った、第１ポスト及び第２ポストに取り付けられているスライドレールアセンブリを示す図である。
【図２】本発明の一実施形態に従った、スライドレールアセンブリの展開図である。
【図３】本発明の一実施形態に従った、ブラケット装置の展開図である。
【図４】本発明の一実施形態に従った、第１ポスト及び第２ポストに取り付けられているスライドレールアセンブリを示す図である。
【図５】本発明の一実施形態に従った、第２ポストに取り付けられているブラケット装置を示す図である。
【図６】図５の線６−６に沿った断面図である。
【図７】図５の線７−７に沿った断面図である。
【図８】第１ポストから取り外されている第１ブラケットを示す図である。
【図９】延伸要素の第２部分に対して当接するレール要素の第１部分を示す図である。
【図１０】本発明の一実施形態に従った、第２ポストに対して、第１の方向に沿って動かされているブラケット装置を示す図である。
【図１１】図１０の線１１−１１に沿った断面図である。
【図１２】本発明の一実施形態に従った、第２ポストに対して、第１の方向に沿って動き続けるブラケット装置を示す図である。
【図１３】図１２の線１３−１３に沿った断面図である。
【図１４】本発明の一実施形態に従った、第２ポストに対して、第１の方向に沿って動き続けるブラケット装置と、係脱のために、係止要素の係脱に対して当接する延伸要素の係脱部とを示す図である。
【図１５】図１４の線１５−１５に沿った断面図である。
【図１６】図１４の線１６−１６に沿った断面図である。
【図１７】本発明の一実施形態に従った、補助弾性要素の弾性力に応じて第１の方向に沿って動くブラケット装置の係止要素を示す図である。
【図１８】図１７の線１８−１８に沿った断面図である。
【図１９】本発明の一実施形態に従った、フックを駆動するように動く係止要素を示す図である。
【図２０】図１９の線２０−２０に沿った断面図である。
【図２１】本発明の一実施形態に従った、第２ポストから取り外されたブラケット装置を示す図である。
【図２２】図２１の線２２−２２に沿った断面図である。
【図２３】本発明の一実施形態に従った、第２の方向に沿って第２ポストに取り付けられているブラケット装置を示す図である。
【図２４】互いに係合されていない、第２ブラケットの第１係合部と係止要素の第２係合部とを図示するための別の視野角における図２３の部分断面図である。
【図２５】本発明の別の実施形態に従った、第２ポストに取り付けられているブラケット装置を示す図である。
【図２６】互いに係合されている、係止要素の第２係合部と第２ブラケットの第１係合部とを図示するための別の視野角における図２５の部分断面図である。
【図２７】本発明の別の実施形態に従った、ブラケット装置の展開図である。
【図２８】本発明の別の実施形態に従った、第２の方向に沿って第２ポストに取り付けられているブラケット装置を示す図である。
【図２９】互いに係合されていない、第２ブラケットの第１係合部と係止要素の第２係合部とを図示するための別の視野角における図２８の部分断面図である。
【図３０】本発明の別の実施形態に従った、第２ポストに取り付けられるブラケット装置を示す図である。
【図３１】互いに係合されている、係止要素の第２係合部と第２ブラケットの第１係合部とを図示するための別の視野角における図３０の部分断面図である。
【発明を実施するための形態】
【００２２】
図１は、本発明の一実施形態に従った第１ブラケット３２及びブラケット装置３４によって第１ポスト３６及び第２ポスト３８に取り付けられたスライドレールアセンブリ３０を示す図である。
【００２３】
図２に示すように、スライドレールアセンブリ３０は、レール要素４０及び支持フレーム４２を備える。レール要素４０は、第１端部４４ａと、第１端部４４ａに対向する第２端部４４ｂとを有する。支持フレーム４２は、レール要素４０の一部としてレール要素４０に固定される。支持フレーム４２は、上壁４６ａと、下壁４６ｂと、上壁４６ａと下壁４６ｂとの間に接続された縦壁４８とを有する。通路５０は、上壁４６ａ、下壁４６ｂ及び縦壁４８によって画定される。縦壁４８は第１部分５２（バンプなど）を有する。第１ブラケット３２は、レール要素４０に接続されて第１端部４４ａに隣接する。スライドレールアセンブリ３０は、ブラケット装置３４に接続された延伸要素５４を更に備える。延伸要素５４は、レール要素４０の支持フレーム４２に移動可能に接続され、かつ、支持フレーム４２の通路５０に沿って動くことができる。延伸要素５４は、支持フレーム４２の第１部分５２に向かって対応して面する第２部分５６を有する。ブラケット装置３４は、レール要素４０の第２端部４４ｂに隣接して位置する。
【００２４】
図３から図７に示すように、ブラケット装置３４は、第２ブラケット５８、係止要素６０及びフック６２を含む。第２ブラケット５８は、サイドプレート６４と、サイドプレート６４に略垂直に接続されたエンドプレート６６と、エンドプレート６６に取り付けられた少なくとも１つの取付要素６８とを含む。サイドプレート６４は、少なくとも１つの第１係合部７０、第１壁７２ａ及び第２壁７２ｂを有する。空間７４は、第１壁７２ａ及び第２壁７２ｂによって画定される。係止要素６０は、第２ブラケット５８と動作可能に係合される。係止要素６０が第１ガイド部７６によって画定されたガイド領域内で第２ブラケット５８に対して動くことを可能にするために、係止要素６０は、長孔などの第１ガイド部７６と、係止要素６０を第２ブラケット５８のサイドプレート６４に接続するための第１ガイド部の一部を貫通する接続要素７８とを有する。係止要素６０は、少なくとも１つの第２係合部８０と、少なくとも１つの第２係合部８０に接続された弾性アーム８１と、弾性アーム８１に接続された係脱機構８２と、少なくとも１つの支持機構８４とを含む。フック６２は、第２ブラケット５８に接続される。例えば、フック６２はピボット要素８８によって第２ブラケット５８に移動可能に接続される。フック６２は、少なくとも１つのブロック部（ｂｌｏｃｋｉｎｇ  ｐａｒｔ）９０、第１脚部９２及び第２脚部９４を有する。好ましくは、係止要素６０の支持機構８４とフック６２の第２脚部９４との間の接触面の少なくとも１つは、第１傾斜面８６ａであり、係止要素６０の支持機構８４とフック６２の第１脚部９２との間の接触面のうちの１つは、第２傾斜面８６ｂである。本実施形態において、第１傾斜面８６ａ及び第２傾斜面８６ｂは、それぞれ、例えば、支持機構８４の両側に配置される。
【００２５】
図４は、第１ブラケット３２及びブラケット装置３４によって第１ポスト３６と第２ポスト３８との間に取り付けられたスライドレールアセンブリ３０を示す図である。
【００２６】
延伸要素５４は、第２ブラケット５８に接続され、かつ、空間７４内で移動可能である。延伸要素５４は、係脱部９６及び第２ガイド部９８を有する。係脱部９６は、係止要素６０の係脱形態８２に向かって対応して面する。好ましくは、係脱部９６及び係脱機構８２は、傾斜部分を有する。本実施形態において、係脱部９６は、例えば、傾斜部分を有する。第２ガイド部９８は長孔でよく、延伸要素５４が第２ガイド部９８によって画定されたガイド領域内で第２ブラケット５８に対して動くことを可能にするために、支持要素１００は、延伸要素５４を第２ブラケット５８のサイドプレート６４に接続するための第２ガイド部９８の一部を貫通する。好ましくは、スライドレールアセンブリ３０は、弾性要素１０２及び少なくとも１つの補助弾性要素１０４を更に含む。弾性要素１０２は、係止要素６０と支持要素１００との間に配置される。補助弾性要素１０４は、係止要素６０と延伸要素５４との間に配置される。
【００２７】
図６及び図７は、ブラケット装置３４が少なくとも１つの取付要素６８によって第２ポスト３８の孔１０６に取り付けられることを更に示す図である。第２ポスト３８又は第２ブラケット５８に対して閉位置Ｌ１でフック６２を保持するために、係止要素６０の支持機構８４は、フック６２の第１脚部９２に対して当接するように構成される。フック６２のブロック部９０は、第２ポスト３８に対応する（又は面する）。一方で、フック６２が閉位置Ｌ１にあるとき、係止要素６０の第２係合部８０及び第２ブラケット５８の第１係合部７０は、互いに係合される。一方、係止要素６０は、第２ブラケット５８に対して第１位置Ｐ１に位置する。
【００２８】
図８に示すように、スライドレールアセンブリ３０が第１ポスト３６及び第２ポスト３８から取り外されるとき、第１ブラケット３２を第１ポスト３６から分離するために、ユーザは、第１ポスト３６前の位置に立ち、第１ポスト３６から第１ブラケット３２を取り外すことができる（取付方法は、図示しない）。
【００２９】
図９に示すように、第１ブラケット３２が第１ポスト３６から分離された後、レール要素４０の第１部分５２が延伸要素５４の第２部分５６に対して当接するまで力を加え、第１の方向Ｄ１に沿ってレール要素４０を動かすことができる。従って、延伸要素５４は、第１の方向Ｄ１に沿って動作可能に動かされ得る。
【００３０】
図１０及び図１１に示すように、第２ブラケット５８を駆動して動くようにするために、ブラケット装置３４の係止要素６０は、延伸要素５４によって第１の方向Ｄ１に沿って動作可能に動かされることができ、これにより、フック６２のブロック部９０は、第２ポスト３８に対して当接する。
【００３１】
図１２及び図１３に示すように、延伸要素５４の係脱部９６が係止要素６０の係脱機構８２に対して当接することができるために、延伸要素５４は、第１の方向Ｄ１に沿って更に動作可能に動かされ得る。一方で、少なくとも１つの補助弾性要素１０４は、延伸要素５４の移動に起因して伸張され、弾性力を発生する。
【００３２】
図１４から図１６に示すように、延伸要素５４の係脱部９６が係止要素６０の係脱機構８２に対して当接し、延伸要素５４が第１の方向Ｄ１に沿って動き続けるとき、係止要素６０の係脱機構８２は、延伸要素５４の係脱部９６によって持ち上げられ、これにより、係止要素６０の第２係合部８０は、第２ブラケット５８の第１係合部７０から係脱される。
【００３３】
図１７及び図１８に示すように、係止要素６０の第２係合部８０が第２ブラケット５８の第１係合部７０から係脱されるとき、係止要素６０は、弾性要素１０２及び／又は補助弾性要素１０４の弾性力に応じて、第１位置Ｐ１から第１の方向Ｄ１に沿って第２ブラケット５８に対して動かされ、これにより、係止要素６０の支持機構８４は、フック６２の第１脚部９２に対してこれ以上当接しない。
【００３４】
図１９及び図２０に示すように、係止要素６０が、延伸要素５４によって、第１の方向Ｄ１に沿って第２位置Ｐ２へと動かされる一方で、係止要素６０の支持機構８４と、フック６２の第２脚部９４との間の接触面の一部が第１傾斜面８６ａであるので、第２ポスト３８又は第２ブラケット５８に対して、閉位置Ｌ１から開位置Ｌ２へと動く角度でフック６２を回転させるために、係止要素６０は、第１傾斜面８６ａの支援により、フック６２の第２脚部９４を押す。係止要素６０が第２位置Ｐ２に位置するとき、開位置Ｌ２でフック６２を保持するために、係止要素６０の支持機構８４は、フック６２の第２脚部９４に対して当接する。そのような状態では、フック６２のブロック部９０は、第２ポスト３８にこれ以上対応しない。
【００３５】
図２１及び図２２に示すように、フック６２が開位置Ｌ２に位置し、延伸要素５４が第１の方向Ｄ１に沿って断続的に動かされるとき、第２ポスト３８からブラケット装置３４を取り外すために、ブラケット装置３４の第２ブラケット５８の取付要素６８は、第２ポスト３８の孔１０６から分離され得る。
【００３６】
図２３及び図２４に示すように、ブラケット装置３４が第２ポスト３８に取り付けられるとき、ユーザは、フック６２を開状態に設定することができ、ついで、ブラケット装置３４を第２の方向Ｄ２に沿って第２ポスト３８に向かって動かすことができ、これにより、第２ブラケット５８が第２ポスト３８に対して当接した状態で、少なくとも１つの取付要素６８によって、第２ブラケット５８は第２ポスト３８の孔１０６に取り付けられる。
【００３７】
図２５及び図２６に示すように、第２ブラケット５８が第２ポスト３８に対して当接するとき、第２位置Ｐ２から第１位置Ｐ１へと、第２ブラケット５８に対して係止要素６０を動かすために、ユーザは、第２の方向Ｄ２に沿って係止要素６０に力を加えることができる。そのような工程中、係止要素６０の支持機構８４とフック６２の第１脚部９２との間の接触面の一部が第２傾斜面であるので、第２ポスト３８又は第２ブラケット５８に対してフック６２を開位置Ｌ２から閉位置Ｌ１へと動かすために、係止要素６０は、第２傾斜面８６ｂの支援により、フック６２の第１脚部９２を押す。フック６２が閉位置Ｌ１に位置するとき、係止要素６０の第２係合部８０及び第２ブラケット５８の第１係合部７０は、互いに係合され、第２ポスト３８又は第２ブラケット５８に対して閉位置Ｌ１でフック６２を保持するために、係止要素６０の支持機構８４は、フック６２の第１脚部９２に対して当接する。
【００３８】
図２７は、本発明の別の実施形態に従った、ブラケット装置２００を示す図である。係止要素２０２は、延伸要素２０４に接続される。従って、係止要素２０２及び延伸要素２０４は、ブラケット２０６に取り付けられる単一の部品として一体化される。
【００３９】
図２８及び図２９に示すように、本発明の別の実施形態において、ブラケット２０６の第１係合部２０８と、係止要素２０２の第２係合部２１０との間の接触面の少なくとも一部は、傾斜面又は曲面などのガイド面２１２である。本実施形態において、係止要素２０２の第２係合部２１０のガイド面２１２は、例えば傾斜面である。取り付け中、係止要素２０２は、ブラケット２０６に対して第２位置Ｐ２に位置し、ブラケット２０６の取付要素２１４は、第２の方向Ｄ２に沿ってポスト２１６に取り付けられ、フック２１８はポスト２１６又はブラケット２０６に対して開位置Ｌ２に位置する。
【００４０】
図３０及び図３１に示すように、係止要素２０２は、第１位置Ｐ１へと動作可能に動かされ、これにより、ブラケット２０６の第１係合部２０８及び係止要素２０２の第２係合部２１０は、互いに係合される。フック２１８の第１脚部２２０は、ポスト２１６又はブラケット２０６に対して閉位置Ｌ１でフック２１８を保持するために、係止要素２０２の支持機構２２２に対して当接する。
【００４１】
特に、ブラケット装置２００をポスト２１６から取り外すための操作は、前述の実施形態と同様である。ユーザは、第２の方向Ｄ２と反対の方向に沿って係止要素２０２を動かす必要があるだけであり、これにより、係止要素２０２の第２係合部２１０は、ガイド面２１２の案内を介して、ブラケット２０６の第１係合部２０８から係脱され得る。後続の操作は、前述の実施形態のものと同様である。それ故、更なる説明は行わない。
【００４２】
当業者であれば、本発明の教示を維持しながら、装置及び方法の多くの変更及び代替が行われ得ることを容易に認識するであろう。従って、上記の開示は、添付した請求項の境界及び範囲（ｍｅｔｅｓ  ａｎｄ  ｂｏｕｎｄｓ）によってのみ限定されるものとして理解されるべきである。
【符号の説明】
【００４３】
３０  スライドレールアセンブリ
３２  第１ブラケット
３４  ブラケット装置
３６  第１ポスト
３８  第２ポスト
４０  レール要素
４２  支持フレーム
４４ａ  第１端部
４４ｂ  第２端部
４６ａ  上壁
４６ｂ  下壁
４８  縦壁
５０  通路
５２  第１部分
５４  延伸要素
５６  第２部分
５８  第２ブラケット
６０  係止要素
６２  フック
６４  サイドプレート
６６  エンドプレート
６８  取付要素
７０  第１係合部
７２ａ  第１壁
７２ｂ  第２壁
７４  空間
７６  第１ガイド部
７８  接続要素
８０  第２係合部
８１  弾性アーム
８２  係脱機構
８４  支持機構
８６ａ  第１傾斜面
８６ｂ  第２傾斜面
８８  ピボット要素
９０  ブロック部
９２  第１脚部
９４  第２脚部
９６  係脱部
９８  第２ガイド部
１００  支持要素
１０２  弾性要素
１０４  補助弾性要素
１０６  孔
２００  ブラケット装置
２０２  係止要素
２０４  延伸要素
２０６  ブラケット
２０８  第１係合部
２１０  第２係合部
２１２  ガイド面
２１４  取付要素
２１６  ポスト
２１８  フック
２２０  第１脚部
２２２  支持機構
Ｄ１  第１の方向
Ｄ２  第２の方向
Ｌ１  閉位置
Ｌ２  開位置
Ｐ１  第１位置
Ｐ２  第２位置
【図１】
2017059803.tif 000003
【図２】
2017059803.tif 000004
【図３】
2017059803.tif 000005
【図４】
2017059803.tif 000006
【図５】
2017059803.tif 000007
【図６】
2017059803.tif 000008
【図７】
2017059803.tif 000009
【図８】
2017059803.tif 000010
【図９】
2017059803.tif 000011
【図１０】
2017059803.tif 000012
【図１１】
2017059803.tif 000013
【図１２】
2017059803.tif 000014
【図１３】
2017059803.tif 000015
【図１４】
2017059803.tif 000016
【図１５】
2017059803.tif 000017
【図１６】
2017059803.tif 000018
【図１７】
2017059803.tif 000019
【図１８】
2017059803.tif 000020
【図１９】
2017059803.tif 000021
【図２０】
2017059803.tif 000022
【図２１】
2017059803.tif 000023
【図２２】
2017059803.tif 000024
【図２３】
2017059803.tif 000025
【図２４】
2017059803.tif 000026
【図２５】
2017059803.tif 000027
【図２６】
2017059803.tif 000028
【図２７】
2017059803.tif 000029
【図２８】
2017059803.tif 000030
【図２９】
2017059803.tif 000031
【図３０】
2017059803.tif 000032
【図３１】
2017059803.tif 000033
【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
第１ポスト及び第２ポストに取り付けられるように構成されたスライドレールアセンブリであって、当該スライドレールアセンブリは、
レール要素と、
前記レール要素に接続され、かつ、前記第１ポストに取り外し可能に取り付けられるように構成された第１ブラケットと、
前記レール要素に接続され、かつ、前記第２ポストに取り外し可能に取り付けられるように構成されたブラケット装置と、
を備え、
前記ブラケット装置は、
第２ブラケットと、
前記第２ブラケットに接続され、第１脚部を有するフックと、
前記第２ブラケットと動作可能に係合され、前記第２ポストに対して閉位置で前記フックを保持するために、前記フックの前記第１脚部に対して当接するための支持機構を有する、係止要素とを含み、
前記第１ブラケットが、前記第１ポストから取り外され、前記係止要素が、前記第２ブラケットから動作可能に係脱されるとき、前記係止要素の前記支持機構は、前記フックの前記第１脚部に対してもはや当接せず、前記フックは、前記第２ポストに対して前記閉位置でもはや保持されない、
スライドレールアセンブリ。
【請求項２】
前記係止要素に接続された延伸要素を更に備え、前記レール要素は、第１部分を有し、前記延伸要素は、前記レール要素の前記第１部分に向かって面する第２部分を有し、前記第１部分が前記第２部分に対して当接するときに動くために、前記延伸要素は、前記レール要素によって駆動されるように構成される、請求項１に記載のスライドレールアセンブリ。
【請求項３】
前記係止要素と前記延伸要素との間に配置された補助弾性要素を更に備える、請求項２に記載のスライドレールアセンブリ。
【請求項４】
前記フックは第２脚部を有し、前記係止要素の前記支持機構と、前記フックの前記第２脚部との間の接触面のうちの１つは、傾斜面であり、前記係止要素が前記第２ブラケットから係脱されるとき、前記傾斜面は前記フックの前記第２脚部を押して前記閉位置から開位置へと前記フックを回転させる、請求項１に記載のスライドレールアセンブリ。
【請求項５】
前記第２ブラケットは第１係合部を有し、前記係止要素は前記第１係合部と動作可能に係合された第２係合部を有する、請求項１に記載のスライドレールアセンブリ。
【請求項６】
前記係止要素は、前記第２係合部に接続された弾性アームと、前記弾性アームに接続された係脱機構とを含み、前記スライドレールアセンブリは前記係止要素に接続された延伸要素を更に備え、前記延伸要素は、前記第２ブラケットの前記第１係合部から前記係止要素の前記第２係合部を係脱するための係脱部を有する、請求項５に記載のスライドレールアセンブリ。
【請求項７】
前記係止要素は第１ガイド部を有し、前記スライドレールアセンブリは、前記第２ブラケットに前記係止要素を接続するために、前記第１ガイド部の一部を貫通する接続要素を更に備える、請求項１に記載のスライドレールアセンブリ。
【請求項８】
前記第１ガイド部は長孔である、請求項７に記載のスライドレールアセンブリ。
【請求項９】
前記延伸要素は第２ガイド部を有し、前記スライドレールアセンブリは、前記第２ブラケットに前記延伸要素を接続するために、前記第２ガイド部の一部を貫通する支持要素を更に備える、請求項２に記載のスライドレールアセンブリ。
【請求項１０】
前記第２ガイド部は長孔である、請求項９に記載のスライドレールアセンブリ。
【請求項１１】
前記第２ブラケットはサイドプレートを含み、前記サイドプレートは、空間を画定する第１壁及び第２壁を有し、前記延伸要素は前記空間内で移動可能である、請求項２に記載のスライドレールアセンブリ。
【請求項１２】
前記フックは前記第２ブラケットに枢着される、請求項１に記載のスライドレールアセンブリ。
【請求項１３】
レール要素と、
前記レール要素に接続されたブラケット装置と、
を備え、
前記ブラケット装置は、
ブラケットと、
前記ブラケットに接続され、第１脚部を有するフックと、
前記ブラケットと動作可能に係合され、前記ブラケットに対して閉位置で前記フックを保持するために、前記フックの前記第１脚部に対して当接するための支持機構を有する係止要素と、を含み、
前記係止要素が前記ブラケットから動作可能に係脱されるとき、前記係止要素の前記支持機構は、前記フックの前記第１脚部に対してもはや当接せず、前記フックは前記ブラケットに対して前記閉位置でもはや保持されない、
スライドレールアセンブリ。
【請求項１４】
第１係合部を有するブラケットと、
前記ブラケットに接続され、かつ、前記ブラケットに対して閉位置に位置するフックと、
前記フックに対して当接して前記閉位置で前記フックを保持するために、前記ブラケットの前記第１係合部と動作可能に係合された係止要素と、
前記係止要素に接続された延伸要素と、
を含み、
前記係止要素が前記ブラケットから動作可能に係脱されるとき、前記係止要素は前記フックに対してもはや当接せず、前記フックは前記ブラケットに対して前記閉位置でもはや保持されない、
ブラケット装置。
【請求項１５】
前記係止要素は、支持機構を有し、前記係止要素に対して異なる位置で前記フックに対して当接するために、第１傾斜面及び第２傾斜面は、それぞれ、前記支持機構の両側それぞれに配置される、請求項１４に記載のブラケット装置。